(57)【特許請求の範囲】
【請求項１】
ボーリング孔内の地下水を採水するための採水装置であって、
筒状のロッドに接続され、前記ボーリング孔内の所定の位置に設置されるパッカーと、
前記パッカーで閉塞された区間内の地下水を前記ロッドを介して揚水するためのポンプと、
前記ロッドに設けられ、前記ロッド内を開閉するバルブとを備えることを特徴とする採水装置。
【請求項２】
前記バルブは、前記ロッドに複数設けられ、
前記複数のバルブを閉止することにより、前記複数のバルブ間の前記ロッド内に地下水を採水することを特徴とする請求項１に記載の採水装置。
【請求項３】
前記複数のバルブ間に、前記ロッドの替わりに筒状の採水用ボトルを設けて、前記複数のバルブを閉止することにより、前記複数のバルブ間の前記採水用ボトル内に地下水を採水することを特徴とする請求項２に記載の採水装置。
【請求項４】
ボーリング孔内の地下水を採水するための採水方法において、
筒状のロッドに接続され、前記ボーリング孔内の所定の位置に設置されるパッカーと、前記パッカーで閉塞された区間内の地下水を前記ロッドを介して揚水するためのポンプと、前記ロッドに設けられ、前記ロッド内を開閉するバルブとを備えた採水装置を用い、
前記区間内の透水性を調査する透水試験を実施し、
前記透水試験終了後に、前記ポンプで前記区間内の地下水を揚水しつつ、前記バルブを閉止して、前記ロッド内に前記区間内の地下水を採水することを特徴とする採水方法。
【請求項５】
前記バルブは、前記ロッドに取り外し可能に複数設けられ、
前記ポンプで地下水を揚水しながら、前記複数のバルブを同時に又は孔口側から孔底側へ向かって順番に閉止することにより、前記複数のバルブ間の前記ロッド内に地下水を空気に触れないように採水することを特徴とする請求項４に記載の採水方法。
【請求項６】
地下水を採水した前記ロッドの一端に設けられている前記バルブに接続され、地下水を採水していない前記ロッドをそのバルブから取り外して、地下水を採水した前記ロッドを、両端に前記バルブを取り付けたまま前記採水装置から取り外し、
地下水を採水した前記ロッドの両端に設けられている前記バルブのいずれか一方を内部が真空状態の真空ボトルに接続して、前記ロッド内の地下水を前記真空ボトル内に移すことを特徴とする請求項５に記載の採水方法。
【請求項７】
前記複数のバルブ間に、前記ロッドの替わりに筒状の採水用ボトルを設けて、この採水用ボトル内に地下水を採水することを特徴とする請求項５に記載の採水方法。
【発明の詳細な説明】
【技術分野】
【０００１】
本発明は、ボーリング孔内の地下水を採水するための採水装置及び採水方法に関する。
【背景技術】
【０００２】
地盤内の地下水を採水するための採水装置として、例えば、特許文献１には、ボーリング孔内の採水対象区間を閉塞するダブルパッカーと、上部パッカーの直上に設けられ、採水対象区間の地下水を採水するための採水用ボトルと、採水対象区間内の地下水を採水用ボトルに揚水する揚水手段と、採水用ボトル内に揚水される地下水の水圧、水質等を計測する水質測定手段とを備えた採水装置が開示されている。
【０００３】
この採水装置を用いた採水方法では、ダブルパッカーで採水対象区間を閉塞した後に、採水用ボトル内に揚水される採水対象区間の地下水の水圧、水質等を水質測定手段で測定し、この地下水が掘削水又は地層水のいずれであるかを判定し、その地下水が地層水であると判断した場合に地下水を採水する。
【０００４】
この採水作業では、まず、透水試験終了後に透水試験装置をボーリング孔内から地上に搬出し、採水装置をボーリング孔内に設置する。次に、ダブルパッカーで閉塞した採水対象区間内に貯留している掘削水等を所定の量だけ揚水し、採水対象区間内を地層水に置換してから採水用ボトル内に地下水を採水する。ここで、所定の量とは、一般的に、ボーリング孔内の採水対象区間の容積の約３倍とされており、この量の地下水を地上に揚水すると採水対象区間内の地下水が完全に地層水に置換されたとするものである。
【特許文献１】特開平６−２９４２７０号公報
【発明の開示】
【発明が解決しようとする課題】
【０００５】
しかしながら、上述した採水装置を用いた場合には、透水試験終了後に透水試験装置を地上に搬出し、採水装置を設置するので、透水試験装置の搬出及び採水装置の設置に手間及び時間がかかるという問題点があった。
【０００６】
また、透水試験時にも大量の地下水を揚水するので、透水試験終了時には既に採水対象区間に地層水が充満している状態であるにもかかわらず、透水試験装置を採水装置に入れ替えることによって、地層水と掘削水等とが混合するために、上述した所定の量の地下水を再び揚水しなければならず、作業効率が悪いという問題点があった。
【０００７】
特に、採水対象区間が大深度の場合は、透水試験装置を地上に搬出して採水装置を設置する作業及び上記所定の量の地下水の揚水には、多大な時間を要し、工期が長くなるという問題点があった。
【０００８】
そこで、本発明は、上記の問題点を鑑みてなされたものであり、その目的は、透水試験及び採水が可能な採水装置を提供することである。
【課題を解決するための手段】
【０００９】
前記目的を達成するため、本発明の地下水の採水装置は、ボーリング孔内の地下水を採水するための採水装置であって、筒状のロッドに接続され、前記ボーリング孔内の所定の位置に設置されるパッカーと、前記パッカーで閉塞された区間内の地下水を前記ロッドを介して揚水するためのポンプと、前記ロッドに設けられ、前記ロッド内を開閉するバルブとを備えることを特徴とする（第１の発明）。
【００１０】
本発明による採水装置によれば、パッカーと、ポンプと、ロッドに接続されたバルブとを備えているので、パッカーで所望の区間を閉塞するとともに、バルブを閉止し、このバルブより上側のロッド内の水をポンプで揚水してロッド内を空洞にした後にバルブを開放することによって透水試験を実施することができる。また、透水試験終了後、ポンプで地下水を揚水しつつ、バルブを閉止することにより、ロッド内に地下水を採水することができる。したがって、透水試験装置及び採水装置を用いてそれぞれ透水試験及び採水を実施する場合と比べて、透水試験終了後の透水試験装置の搬出作業及び採水装置の設置作業にかかる手間及び時間を省くことができる。
【００１１】
また、透水試験終了後に、孔内の機器類を入れ替えることなく、採水を行うために、透水試験時に揚水した地下水の容積を上記所定の量の一部に含むことができので、所定の量の地下水を揚水する時間を大幅に短縮することができる。
【００１２】
本発明において、前記バルブは、前記ロッドに複数設けられ、前記複数のバルブを閉止することにより、前記複数のバルブ間の前記ロッド内に地下水を採水することとしてもよい。
【００１３】
本発明による採水装置によれば、バルブがロッドに複数個接続されているので、揚水ポンプで地下水を揚水しつつ、ロッド内を地下水で充満させた状態でこれらのバルブを閉止することにより、地下水を空気に触れさせることなく、バルブ間のロッド内に採水することができる。
【００１４】
本発明において、前記複数のバルブ間に、前記ロッドの替わりに筒状の採水用ボトルを設けて、前記複数のバルブを閉止することにより、前記複数のバルブ間の前記採水用ボトル内に地下水を採水することとしてもよい。
【００１５】
本発明による採水装置によれば、複数のバルブ間に、ロッドの替わりに筒状の採水ボトルを設けるので、バルブ間の採水ボトル内に地下水を空気に触れることなく、採水することができる。採水後は、採水装置から採水ボトルを取り外して、そのまま保存することができるので、ロッドに地下水を採水する場合と比べて、地下水をロッドから採水ビン等の容器に移す作業を省くことができる。
【００１６】
また、採水ボトルは筒状なので、採水ボトルを設けた場合でも透水試験を実施することができる。
【００１７】
本発明の採水方法は、ボーリング孔内の地下水を採水するための採水方法において、筒状のロッドに接続され、前記ボーリング孔内の所定の位置に設置されるパッカーと、前記パッカーで閉塞された区間内の地下水を前記ロッドを介して揚水するためのポンプと、前記ロッドに設けられ、前記ロッド内を開閉するバルブとを備えた採水装置を用い、前記区間内の透水性を調査する透水試験を実施し、前記透水試験終了後に、前記ポンプで前記区間内の地下水を揚水しつつ、前記バルブを閉止して、前記ロッド内に前記区間内の地下水を採水することを特徴とする。
【００１８】
本発明による採水方法によれば、パッカーと、ポンプと、ロッドに接続されたバルブとを備えた採水装置を用いるので、パッカーで所望の区間を閉塞するとともに、バルブを閉止し、このバルブより上側のロッド内の水をポンプで揚水してロッド内を空洞にした後にバルブを開放することによって透水試験を実施することができる。そして、透水試験終了後、ポンプで地下水を揚水しつつ、バルブを閉止することにより、ロッド内に地下水を採水することができる。したがって、透水試験装置及び採水装置を用いて透水試験及び採水を実施する場合と比べて、透水試験終了後の透水試験装置の搬出作業及び採水装置の設置作業にかかる手間及び時間を省くことができる。
【００１９】
また、透水試験終了後に、孔内の機器類を入れ替えることなく、採水を行うために、透水試験時に揚水した地下水の容積を上記所定の量の一部に含むことができので、所定の量の地下水を揚水する時間を大幅に短縮することができる。
【００２０】
本発明において、前記バルブは、前記ロッドに取り外し可能に複数設けられ、前記ポンプで地下水を揚水しながら、前記複数のバルブを同時に又は孔口側から孔底側へ向かって順番に閉止することにより、前記複数のバルブ間の前記ロッド内に地下水を空気に触れないように採水することとしてもよい。
【００２１】
本発明による採水方法によれば、揚水ポンプで地下水を揚水しつつ、ロッド内を地下水で充満させた状態で複数のバルブを同時又は孔口側から孔底側へ向かって順番に閉止することにより、地下水を空気に触れさせることなく、バルブ間のロッド内に採水することができる。
【００２２】
本発明において、地下水を採水した前記ロッドの一端に設けられている前記バルブに接続され、地下水を採水していない前記ロッドをそのバルブから取り外して、地下水を採水した前記ロッドを、両端に前記バルブを取り付けたまま前記採水装置から取り外し、地下水を採水した前記ロッドの両端に設けられている前記バルブのいずれか一方を内部が真空状態の真空ボトルに接続して、前記ロッド内の地下水を前記真空ボトル内に移すこととしてもよい。
【００２３】
本発明による採水方法によれば、地下水を採水したロッドを、両端にバルブを接続した状態で採水装置から取り外して、その地下水を真空ボトルに移すので、地下水は空気に触れない。また、地下水は真空ボトル内に保存されるので、採水後に行う水質分析時まで地下水を空気に触れないように保存できる。
【００２４】
本発明において、前記複数のバルブ間に、前記ロッドの替わりに筒状の採水用ボトルを設けて、この採水用ボトル内に地下水を採水することとしてもよい。
【００２５】
本発明による採水方法によれば、複数のバルブ間に、ロッドの替わりに筒状の採水ボトルを設けるので、バルブ間の採水ボトル内に地下水を空気に触れることなく、採水することができる。採水後は、採水装置から採水ボトルを取り外して、そのまま保存することができるので、ロッド内に地下水を採水する場合と比べて、地下水をロッド内から真空ボトル等の容器に移す作業を省くことができる。
【発明の効果】
【００２６】
本発明による地下水の採水装置及び採水方法によれば、透水試験及び採水を行うことができる。
【発明を実施するための最良の形態】
【００２７】
図１は、本発明の第一実施形態に係る地下水の採水装置１をボーリング孔２内に設置した状態を示す模式断面図である。
【００２８】
図１に示すように、採水対象区間Ｌの地下水を採水するための採水装置１は、ボーリング孔２内の採水対象区間Ｌの上方及び下方にそれぞれ設置された第一のパッカー３及び第二のパッカー４と、両パッカー３、４同士を連結するとともに、内部に地下水を流入するための孔５ａを有するストレナー管５と、第一のパッカー３の直上に設けられた第一のバルブ６と、一端が第一のバルブ６に接続され、他端が地上に設置されたボーリングマシン等の保持装置８に接続された中空のロッド７と、ロッド７の途中に設けられた第二のバルブ９と、ロッド７内の地下水の水位を測定するための水位計１０と、地上に設置され、採水対象区間Ｌの地下水をロッド７内を通して揚水するための揚水ポンプ１１とを備えている。
【００２９】
第一のパッカー３と第一のバルブ６、第一のバルブ６とロッド７、ロッド７と第二のバルブ９、ロッド７と保持装置８は、それぞれねじ接続されており、取り外しが可能である。
【００３０】
揚水ポンプ１１を稼動させると採水対象区間Ｌの地下水は、第一のパッカー３と第二のパッカー４との間のストレナー管５内に流入し、ロッド７内を通して地上に揚水される。その際に、地下水を地上に揚水しながらロッド７内を地下水で充満させた状態で、第一及び第二のバルブ６、９を閉止し、次に、揚水ポンプ１１を停止すると、両バルブ６、９間のロッド７内に地下水が採水される。
【００３１】
第一及び第二のバルブ６、９は地上に設けられたスイッチ１２、１３を操作することにより開閉可能である。
【００３２】
揚水ポンプ１１は、ポンプの稼動により発熱したモーターの熱がロッド７内の地下水に伝わるのを防止するために、第一及び第二のバルブ６、９よりも離れた位置に設置することが望ましく、本実施形態においては、地上に設置した。
【００３３】
次に、採水装置１で採水対象区間Ｌの地下水を採水する方法について、作業手順にしたがって説明する。
【００３４】
まず、採水装置１の第一及び第二のパッカー３、４、ロッド７等をボーリング孔２内に挿入し、両パッカー３、４に圧縮空気を注入して孔壁に密着させて、採水対象区間Ｌを閉塞する。
【００３５】
次に、透水試験を実施するために、地上のスイッチ１２を操作して第一のバルブ６を閉止し、スイッチ１３を操作して第二のバルブ９を開放する。そして、第一のバルブ６より上側のロッド７内に貯留している地下水を揚水ポンプ１１にて揚水し、第一のバルブ６より上側のロッド７内を空洞にする。このとき揚水した地下水の量を透水試験開始時の揚水量として測定する。第一のバルブ６よりも上側のロッド７内の水をすべて揚水したら揚水ポンプ１１を停止する。
【００３６】
次に、地上のスイッチ１２を操作して第一のバルブ６を開放して採水対象区間Ｌの地下水をロッド７内の上記空洞部分に流入させて、透水試験を開始する。
【００３７】
第一のバルブ６を開放すると同時に、ロッド７内を地下水が上昇するので、ロッド７内の地下水位の回復状況を水位計１０で測定して平衡水位や透水係数を算出し、透水試験を終了する。
【００３８】
次に、第一及び第二のバルブ６、９を開放した状態のままで揚水ポンプ１１を稼動させると、採水対象区間Ｌの地下水は、ストレナー管５及びロッド７内を通って地上に送給される。このようにして、揚水を連続して行い、透水試験開始時から地上に揚水された地下水の累積容積（上記透水試験開始時の揚水量を含む）が、前述した上記所定の量である採水対象区間Ｌの容積の約３倍を超えた時点で、採水対象区間Ｌ内がすべて地層水に完全に置換されたと判定して、採水を実施する。
【００３９】
採水作業は、揚水ポンプ１１を稼動させて地下水を揚水しつつ、ロッド７内に地下水を充満した状態で、まず、第二のバルブ９を閉止し、次に、第一のバルブ６を閉止する。揚水ポンプ１１は、第二のバルブ９を閉止した後に適宜停止する。揚水ポンプ１１を稼動させてロッド７内を地下水で充満させた状態で両バルブ６、９を閉止するので、地下水は空気に触れることなく両バルブ６、９間のロッド７内に採水される。
【００４０】
両バルブ６、９を閉止する順番は、両バルブ６、９間のロッド７内に空気が入らないように、まず、上側の第二のバルブ９を閉止し、次に、下側の第一のバルブ６を閉止する順番で行うか、又は両バルブ６、９を同時に閉止する。
【００４１】
揚水ポンプ１１を停止後、両パッカー３、４、ロッド７等を地上に引き上げつつ、まず、保持装置８とロッド７のねじ接続を緩めて、両パッカー３、４、ロッド７等を保持装置８から取り外し、次に、第二のバルブ９とこのバルブ９の上側のロッド７のねじ接続を緩めて、第二のバルブ９よりも上側のロッド７を取り外し、最後に、第一のバルブ６と第一のパッカー３のねじ接続を緩めて、第一及び第二のバルブ６、９をそれぞれ下端、上端に接続した状態で両バルブ６、９間のロッド７を取り外す。
【００４２】
図２は、両バルブ６、９間のロッド７内に採水された地下水を真空ボトル１４ａに移す状態を示す図である。
【００４３】
図２に示すように、真空ボトル１４ａは、その入口部分に真空用バルブ１４ｃが接続されており、この真空用バルブ１４ｃを閉じることにより、真空ボトル１４ａ内を密閉することができる。真空用バルブ１４ｃには、真空ボトル１４ａ内の空気を吸引して真空にするための吸引装置１４ｂが接続されている。
【００４４】
真空用バルブ１４ｃが開放され、内部に空気が入っている状態の真空ボトル１４ａの真空用バルブ１４ｃに、内部に地下水を採水したロッド７の下端側の第一のバルブ６を閉止した状態で接続する。
【００４５】
次に、吸引装置１４ｂを稼動させて、第一のバルブ６と真空バルブ１４ｃとの接続部分内の空気及び真空ボトル１４ａ内の空気を吸引装置１４ｂで吸引して真空状態にし、その後、第一のバルブ６を開放してロッド７内の地下水を真空ボトル１４ａに移す。そして、真空用バルブ１４ｃを閉止して、空気が真空ボトル１４ａ内に入らないように密封して保存する。
【００４６】
以上説明した本発明の第一実施形態における地下水の採水装置１によれば、第一のパッカー３と、揚水ポンプ１１と、ロッド７に接続された第一及び第二のバルブ６、９とを備えているので、透水試験を実施することができる。また、透水試験終了後、揚水ポンプ１１で地下水を揚水しつつ、第一及び第二のバルブ６、９を閉止することにより、両バルブ６、９間のロッド７内に地下水を採水することができる。したがって、透水試験装置及び採水装置を用いてそれぞれ透水試験及び採水を実施する場合と比べて、透水試験終了後の透水試験装置の搬出作業及び採水装置の設置作業にかかる手間及び時間を省くことができる。
【００４７】
また、透水試験終了後に、ボーリング孔２内の機器類を入れ替えることなく、採水を行うために、透水試験開始時に揚水した地下水の揚水量を上記所定の量の一部に含むことができので、所定の量の地下水を揚水する時間を大幅に短縮することができる。
【００４８】
さらに、揚水ポンプ１１で地下水を揚水しつつ、ロッド７内を地下水で充満させた状態で両バルブ６、９を閉止するので、地下水を空気に触れさせることなく採水できる。そして、ロッド７内の地下水を真空ボトル１４ａに移すことにより、水質分析時まで地下水を空気に触れないように保存できる。
【００４９】
そして、第一のパッカー３及び第二のパッカー４を備えているので、所望の深度の地下水を採水することができる。
【００５０】
次に、本発明における採水装置１の異なる実施形態を示す。本発明の第二実施形態は、第一実施形態の両バルブ６、９間のロッド７を採水用ボトル２２に置き換えたものである。以下の説明において、第一実施形態に対応する部分には同一の符号を付して説明を省略し、主に相違点について説明する。
【００５１】
図３は、本発明の第二実施形態に係る地下水の採水装置２１をボーリング孔２内に設置した状態を示す模式断面図である。
【００５２】
図３に示すように、採水対象区間Ｌの地下水を採水するための採水装置２１は、第一実施形態の採水装置１の両バルブ６、９間に筒状の採水用ボトル２２を設けたものである。
【００５３】
第一のバルブ６と採水用ボトル２２、採水用ボトル２２と第二のバルブ９は、それぞれねじ接続されており、取り外しが可能である。
【００５４】
採水用ボトル２２は、水質分析を行う測定機関等へ運搬可能な長さに調整されている。また、本実施形態において、採水用ボトル２２の材質は、長期間地下水を貯水しても水質に影響を及ぼさないステンレスとした。
【００５５】
採水対象区間Ｌの地下水は、透水試験終了後に、第一実施形態と同様の方法で採水用ボトル２２内に採水される。採水後、両パッカー３、４、ロッド７等を地上に引き上げつつ、両パッカー３、４、ロッド７等を保持装置８から取り外し、次に、第二のバルブ９とロッド７のねじ接続を緩めて、ロッド７を取り外し、最後に、第一のバルブ６とパッカー３のねじ接続を緩めて、第一及び第二のバルブ６、９をそれぞれ下端、上端に接続した状態で採水用ボトル２２を取り外す。
【００５６】
採水した地下水は、両バルブ６、９を接続した状態のままで採水用ボトル２２内に保存する。
【００５７】
以上説明した本発明の第二実施形態における地下水の採水装置２１によれば、採水用ボトル２２を用いるので、採水後、そのまま保存することができる。すなわち、水質分析時まで地下水を空気に触れないように保存することができる。
【００５８】
次に、本発明における第三の実施形態を示す。本発明の第三実施形態は、採水する地下水が空気に触れても構わない場合の実施形態である。
【００５９】
図４は、本発明の第三実施形態に係る地下水の採水装置３１をボーリング孔２内に設置した状態を示す模式断面図である。
【００６０】
図４に示すように、採水対象区間Ｌの地下水を採水するための採水装置３１は、第一及び第二実施形態の採水装置１、１１から第二のバルブ９を取り外し、第一のバルブ６のみを設けたものである。
【００６１】
揚水ポンプ１１を稼動させて地下水を地上に揚水しながらロッド７内を地下水で充満させた状態で、第一のバルブ６を閉止し、次に、揚水ポンプ１１を停止すると、第一のバルブ６よりも上側のロッド７内に地下水が採水される。
【００６２】
次に、採水装置３１で採水対象区間Ｌの地下水を採水する方法について、作業手順にしたがって説明する。
【００６３】
まず、採水装置３１の両パッカー３、４、ロッド７等をボーリング孔２内に設置する。
【００６４】
次に、地上のスイッチ１２を操作して第一のバルブ６を閉止する。第一のバルブ６より上側のロッド７内に貯留している地下水を揚水ポンプ１１にて揚水し、第一のバルブ６より上側のロッド７内を空洞にする。このとき揚水した地下水の量を透水試験開始時の揚水量として測定する。第一のバルブ６よりも上側のロッド７内の水をすべて揚水したら揚水ポンプ１１を停止する。
【００６５】
次に、地上のスイッチ１２を操作して第一のバルブ６を開放し、採水対象区間Ｌの地下水をロッド７内の上記空洞部分に流入させて、透水試験を実施する。
【００６６】
そして、透水試験終了後、第一のバルブ６を開放した状態のままで揚水ポンプ１１を稼動させて、第一及び第二実施形態と同様に、揚水された地下水の累積容積（上記透水試験開始時の揚水量を含む）が、前述した採水対象区間Ｌの容積の約３倍を超えた時点で採水を実施する。
【００６７】
採水作業は、揚水ポンプ１１を稼動させて地下水を揚水しつつ、ロッド７内に地下水を充満させた状態で、まず、第一のバルブ６を閉止し、次に、揚水ポンプ１１を停止する。ロッド７内を地下水で充満させた状態で第一のバルブ６を閉止するので、地下水は第一のバルブ６よりも上側のロッド７内に採水される。
【００６８】
揚水ポンプ１１を停止後、両パッカー３、４、ロッド７等を地上に引き上げつつ、まず、保持装置８とロッド７のねじ接続を緩めて、両パッカー３、４、ロッド７等を保持装置８から取り外し、次に、第一のバルブ６とパッカー３のねじ接続を緩めて、第一のバルブ６を下端に接続した状態でロッド７を取り外す。そして、ロッド７内の地下水をボトル等の容器に移して保存する。地下水を採水したロッド７を採水装置３１から取り外して地下水を容器に移す際に、第一のバルブ６の接続されている端面と反対側のロッド７の端面は開放されているので、地下水は空気に触れた状態である。
【００６９】
なお、本実施形態においては、パッカーを複数個用いる場合について説明したが、これに限定されるものではなく、パッカーを１個用いる場合にも適用可能で、例えば、図５に示すように、孔底から所定の深度までの採水対象区間Ｓの上方に設置された第一のパッカー３と、第一のパッカー３の下端に接続され、地下水を吸い込むための筒状の吸引管３２と、第一のパッカー３の直上に設けられた第一のバルブ６と、ロッド７と、水位計１０と、揚水ポンプ１１とを備えた採水装置３３を用いると、採水対象区間Ｓの地下水は、揚水ポンプ１１を稼動させることにより、吸引管３２内に流入し、ロッド７内を通して地上に揚水されるので、地下水を地上に揚水しながらロッド７内を地下水で充満させた状態で、第一のバルブ６を閉止すると、第一のバルブ６よりも上側のロッド７内に地下水が採水される。
【００７０】
以上説明した本発明の第三実施形態における地下水の採水装置３１、３３によれば、第一及び第二のパッカー３、４又は第一のパッカー３と、揚水ポンプ１１と、第一のバルブ６とを備えているので、透水試験を実施することができる。また、透水試験終了後、揚水ポンプ１１で地下水を揚水しつつ、第一のバルブ６を閉止することにより、ロッド７内に地下水を採水することができる。
【図面の簡単な説明】
【００７１】
【図１】本発明の第一実施形態に係る地下水の採水装置をボーリング孔内に設置した状態を示す模式断面図である。
【図２】両バルブ間のロッドに採水された地下水を真空ボトルに移し替える状態を示す図である。
【図３】本発明の第二実施形態に係る地下水の採水装置をボーリング孔内に設置した状態を示す模式断面図である。
【図４】本発明の第三実施形態に係る地下水の採水装置をボーリング孔内に設置した状態を示す模式断面図である。
【図５】本実施形態に係る他の実施例を示す模式断面図である。
【符号の説明】
【００７２】
１、２１、３１、３３  採水装置              ２  ボーリング孔
３  第一のパッカー                          ４  第二のパッカー
５  ストレナー管                            ５ａ  孔
６  第一のバルブ                            ７  ロッド
８  保持装置                                ９  第二のバルブ
１０  水位計                                １１  揚水ポンプ
１２  スイッチ                              １３  スイッチ
１４ａ  真空ボトル                          １４ｂ  吸引装置
１４ｃ  真空用バルブ                        ２２  採水用ボトル
３２  吸引管                                Ｌ、Ｓ  採水対象区間
【図１】
0005141383.tif 000002
【図２】
0005141383.tif 000003
【図３】
0005141383.tif 000004
【図４】
0005141383.tif 000005
【図５】
0005141383.tif 000006